(57)【要約】【課題】様々な人種の人が親しみを持つような演出を行うことができる表示装置を提供すること。【解決手段】本発明の表示装置は、表示部（スクリーン）３１と、撮像部４７と、判定部と、制御部４１とを備える。表示部（スクリーン）３１は、人物画像を含むコンテンツを表示する。撮像部４７は人物を撮影し、判定部は、撮像部４７で撮影された人物像に基づき人種を判定する。そして、制御部４１は、判定部が判定した人種に基づき、コンテンツに含まれる人物画像を決定する。【選択図】図３
2017003789.tif 000002
【特許請求の範囲】
【請求項１】
人物画像を含むコンテンツを表示する表示部と、
撮像部と、
前記撮像部で撮影された人物像に基づき人種を判定する判定部と、
前記判定部が判定した前記人種に基づき、前記コンテンツに含まれる人物画像を決定する制御部と、
を備えることを特徴とする表示装置。
【請求項２】
前記判定部は、撮影された前記人物像の肌の色、髪の色、目の色、衣装、若しくは、髪型に基づき、前記人種の判定を行うことを特徴とする請求項１に記載の表示装置。
【請求項３】
前記判定部は、さらに、前記人物像が撮影された時期と前記時期に多く訪れる人種との関係に基づき、前記人種の判定を行うことを特徴とする請求項２に記載の表示装置。
【請求項４】
さらに、受音部を備え、
前記判定部は、前記受音部で受信した音声の言語分析に基づき、前記人種の判定を行うことを特徴とする請求項３に記載の表示装置。
【発明の詳細な説明】
【技術分野】
【０００１】
本発明は表示装置に関するものである。
【背景技術】
【０００２】
従来、プロジェクター(投影部)とスクリーン（表示部）とを有する画像表示装置を用いてプレゼンテーションを行い、商品等の販売促進を行うことが行われている（例えば、特許文献１参照）。
【０００３】
特許文献１に記載の画像表示装置は、閲覧者に対する印象を高めるために、例えば人物像を投影して、その人物像が商品説明などを行うもののような場合、スクリーンの形状をその人物像に合わせた形状とすることにより、スクリーンの余計な部分が見えず、人物像がスクリーンに投影されているという印象を軽減して、投影する画像をリアルに見せることが可能になる。
【先行技術文献】
【特許文献】
【０００４】
【特許文献１】特開２０１１―１５０２２１号公報。
【発明の概要】
【発明が解決しようとする課題】
【０００５】
ところで、近年、日本を訪れる外国人観光客が増えてきており、様々な人種の人に対して商品説明などが行えることが望ましい。そのような様々な人種の人が親しみをもって、その商品説明などを受けることができる演出を行うことで、良い印象をもって説明を聞いていただけるようになることから商品販売などの促進にもつなげることができるものと考えられる。
【０００６】
本発明は、このような事情に鑑みなされたものであり、様々な人種の人が親しみを持つような演出を行うことができる表示装置を提供することを目的とする。
【課題を解決するための手段】
【０００７】
上記目的を達成するために、本発明は、以下の構成により把握される。
本発明の表示装置は、人物画像を含むコンテンツを表示する表示部と、撮像部と、前記撮像部で撮影された人物像に基づき人種を判定する判定部と、前記判定部が判定した前記人種に基づき、前記コンテンツに含まれる人物画像を決定する制御部と、を備える。
【発明の効果】
【０００８】
本発明によれば、様々な人種の人が親しみを持つような演出を行うことができる表示装置を提供することができる。
【図面の簡単な説明】
【０００９】
【図１】本発明に係る実施形態の表示装置の全体斜視図である。
【図２】図１中ＩＩ−ＩＩ位置で切断した表示装置の断面図である。
【図３】本発明に係る実施形態の表示装置の正面側を見やすく描いた全体斜視図である。
【図４】本発明に係る実施形態の表示装置の主制御構成を示すブロック図である。
【図５】本発明に係る実施形態の表示装置のコンテンツ再生の流れを説明するフローチャートである。
【図６】本発明に係る実施形態の表示装置のスクリーンの形状の変形例である。
【発明を実施するための形態】
【００１０】
以下、本発明に係る実施形態の表示装置について、図面を用いて説明する。
図１は、本発明に係る実施形態の表示装置１０の斜視図であり、図１に示す表示装置１０は、通常、コンテンツなどを再生するのに用いられる。
【００１１】
例えば、店舗や展示会会場などに設置され、商品の説明、案内、アンケート等のコンテンツを再生する各種の用途で使用することができるものである。
【００１２】
表示装置１０は、全体略矩形箱状の筐体２０を有する。
表示装置１０は、店舗や展示会場の商用電源を主電源とするもので、その商用電源からの電力の供給を受けるためのコンセント（図示せず）を備えた電源コード１１を備えるとともに、主電源からの電力の供給が断たれたときのための補助電源（バッテリなど）１２も備えている。
【００１３】
また、筐体２０の一方の端部（図１において右端）には、スクリーン取付部３２を介して後述する表示部であるスクリーン３１が交換可能に取り付けられており、コンテンツに応じて適切な形状のスクリーン３１に交換することが可能になっている。
なお、以下の説明においては、筐体２０を机等に載置した際の上方（上側）を「上方（上側）」とし、スクリーン３１側を「前方（前側）」とし、スクリーン３１と反対側を「後方（後側）」として説明する。
【００１４】
筐体２０は、前後左右を囲う側板２１を有し、上方に開口部を有している。
そして、図２に示すように、開口部には、パネル２３が取り付けられており、パネル２３の中央は光を透過する透明部２３１とされている。
なお、本実施形態では、パネル２３の透明部２３１以外の部分が、黒色印刷等により、筐体２０の内部が見えないようにされているが、これに限定されるものではなく、パネル２３全部を透明にしてもよい。
【００１５】
図２に示すように、筐体２０の内部における略中央には、画像を形成する投影光を生成して筐体２０の後方に向けて射出する投影部２２が設けられている。
そして、筐体２０の後方には、凹面の反射面を有する第１のミラー２４が設けられており、第１のミラー２４が、投影部２２からの投影光を、平面の反射面を有する第２のミラー２５へ向けて反射し、さらに、投影光は、第２のミラー２５でスクリーン３１へ向けて反射される。
【００１６】
従って、投影部２２から発せられた投影光（画像）ＬＢ１は、第１のミラー２４で下方に向けて反射された後、第２のミラー２５で上方に向けて反射され、パネル２３の透明部２３１を通って筐体２０の外部に設けられているスクリーン３１に照射される（投影光ＬＢ２）。
【００１７】
このスクリーン３１は、例えばアクリル板などの人型に成形された一枚の透光板の後方に、フィルム状のフレネルレンズが積層された背面投影用のフィルムスクリーンが貼付されて構成されたスクリーンである。
したがって、スクリーン３１の後方側に斜め下方向から投影された投影光（画像）ＬＢ２は、フレネルレンズによって屈折されてスクリーン３１の前方側に投影方向が変化する。
【００１８】
そして、アクリル板内には、アクリル板を透過する投影光が画像としてきれいに認識できるように光を散乱する散乱微粒子が分散されているのでアクリル板上に画像が表示され、図１に示すように、スクリーン３１の前方側からスクリーン３１を見るようにすることで投影された画像を見ることができるようになっている。
【００１９】
また、投影される画像を映すためのスクリーン３１は、スクリーン取付部３２により回動可能に支持されており、使用時にはスクリーン３１を立てた状態にでき、使用しない時は、筐体２０側にスクリーン３１を倒した状態にできる。
このため、表示装置１０を移動する時などに、スクリーン（表示部）３１が持ち運びの邪魔にならないように、筐体２０側にスクリーン３１を倒して収納することができる。
【００２０】
図３は、表示装置１０の前方側（正面側）を見やすいようにした斜視図である。
図３に示すように、表示装置１０には、例えば、説明する商品の種類毎に設けられた４つのコンテンツＫｅｙ（Ｋ１、Ｋ２、Ｋ３、及び、Ｋ４）が設けられており、このコンテンツＫｅｙを押すことで、どのような状態として商品説明などが行われるのかについては詳しく後述するが、その押されたコンテンツＫｅｙに対応する商品の説明が開始されるようになっている。
【００２１】
なお、本実施形態では、４つのコンテンツＫｅｙを設けているが、４つに限定される必要はなく、５つ以上のコンテンツＫｅｙを用意してもよく、逆に、３つ以下のコンテンツＫｅｙを用意しておくようにしても良い。
また、本実施形態のように、コンテンツＫｅｙは、押ボタン式である必要はなく、例えば、液晶パネルを設けタッチ式のボタンでコンテンツＫｅｙを構成しても良い。
【００２２】
また、表示装置１０には、表示装置１０の前に立つ人物の人物像を撮影する撮像部４７（カメラ）が設けられているとともに、表示装置１０の前に立つ人物の会話などの音声を取り込むための受音部４８も設けられている。
【００２３】
次に、図４に示すブロック図を参照しながら、本発明に係る実施形態の表示装置１０の主な構成について、さらに説明する。
表示装置１０は、主に、投影部２２とスクリーン部３０とを備えている。
【００２４】
（投影部）
投影部２２は、制御部４１と、プロジェクタ４２と、記憶部４３と、通信部４４と、を主に備えており、プロジェクタ４２、記憶部４３、通信部４４は、各々制御部４１に接続されている。そして、投影部２２は、スクリーン（表示部）３１に、人物画像を含むコンテンツを投影（表示）する。
【００２５】
制御部４１は、記憶部４３に記億されている各種のプログラムを実行して所定の演算や各部の制御を行うＣＰＵとプログラム実行時の作業領域となるメモリとを備えている(いずれも図示略)。
そして、制御部４１は、記憶部４３のプログラム記憶部４３１に記憶されているプログラムとの協働により、制御部や人種を判定する判定部として機能する。
【００２６】
プロジェクタ４２は、制御部４１から出力された画像データを映像光に変換してスクリーン部３０の表示部であるスクリーン３１に向けて照射する投影装置である。
例えば、プロジェクタ４２としては、アレイ状に配列された複数個（ＸＧＡの場合、横１０２４画素×縦７６８画素)の微小ミラーの各傾斜角度を個々に高速でオン/オフ動作して表示動作することでその反射光により光像を形成する表示素子であるＤＭＤ（デジタルマイクロミラーデバイス）を利用したＤＬＰ（Digital Light Processing）（登録商標）プロジェクタが適用可能である。
【００２７】
記憶部４３は、ＨＤＤや不揮発性の半導体メモリ等により構成されており、プログラム記憶部４３1、画像データ記憶部４３２、音データ記憶部４３３等が設けられている。
例えば、プログラム記憶部４３１には、制御部４１で実行されるシステムプログラムや各種処理プログラム、これらのプログラムの実行に必要なデータ等が記憶されている。
【００２８】
また、画像データ記憶部４３２には、コンテンツ再生時において表示対象となる画像データなどが記憶されている。
さらに、音データ記憶部４３３には、コンテンツの音出力用のテキストデータが記憶されている。
なお、本実施形態では、コンテンツ再生時において表示対象となる画像データやコンテンツの音出力用のテキストデータを、画像データ記憶部４３２や音データ記憶部４３３に記憶させている場合を示している。
【００２９】
しかしながら、例えば、コンテンツ再生に関係するデータに関しては、ＳＤカードやＵＳＢメモリなどに記憶させておいて、そのデータを記憶したＳＤカードやＵＳＢメモリなどを表示装置１０のＳＤカードやＵＳＢメモリを接続するための図示しない接続ポートに接続しておいて、コンテンツ再生時に必要なデータをＳＤカードやＵＳＢメモリから読み出すようにしても良い。
【００３０】
通信部４４は、例えば、外部の情報端末（図示省略）などとの通信を可能とし、データ送受信などを行う。
具体的な通信方式は、特に限定されるものではなく、例えば、無線ＬＡＮ、Bluetooth（登録商標）、ＮＦＣ等による無線接続であってもよいし、例えば、ＵＳＢケーブル等を用いた有線接続であってもよい。
通信部４４は、例えば、スクリーン３１に映し出す新しいコンテンツなどのデータを画像データ記憶部４３２や音データ記憶部４３３に取り込むときのデータ受信手段として機能する。
【００３１】
（スクリーン部）
スクリーン部３０は、操作部４５と、音出力部４６と、撮像部４７と、受音部４８と、を主に備えており、操作部４５、音出力部４６、撮像部４７、受音部４８は、各々制御部４１に接続されている。
【００３２】
操作部４５は、コンテンツの再生指示や設定の変更などを行う部分であり、例えば、押ボタン式のコンテンツＫｅｙ（Ｋ１、Ｋ２、Ｋ３及びＫ４）やタッチパネルなどで構成される。
音出力部４６は、音を出力するスピーカ等であり、コンテンツなどを再生するときの音を出力する。
【００３３】
撮像部４７は、例えば、コンテンツＫｅｙ（Ｋ１、Ｋ２、Ｋ３及びＫ４）が押されたタイミングで表示装置１０の前に立つ人物を撮影して人物像を取得する。
なお、撮像部４７による撮影は、人感センサなどを設けておき、表示装置１０の前に人が近づいたのを感知することで、表示装置１０の前に立つ人物を撮影して人物像を取得するようにしても良い。
【００３４】
受音部４８は、いわゆるマイクロフォンであり、表示装置１０の前に立つ人物が会話している時のその会話の音声を取得する。
受音部４８の動作についても、撮像部４７と同様に、コンテンツＫｅｙ（Ｋ１、Ｋ２、Ｋ３及びＫ４）が押されたタイミングや人感センサで人を検知したタイミングで開始するようにして、例えば、所定の時間経過後停止するようにしておけばよい。
また、常に、音声データが受け取れるように動作させておいても良い。
【００３５】
以下、以上のような構成を備える表示装置１０の動作について図５などを参照しながら説明する。
先ず、図３に示したコンテンツＫｅｙ（Ｋ１、Ｋ２、Ｋ３、Ｋ４）のそれぞれに対応して、商品Ａ、Ｂ、Ｃ、Ｄの説明を行うための画像や音声などのデータ（以下、コンテンツデータとも言う。）が用意されている。
【００３６】
例えば、コンテンツＫｅｙ（Ｋ１）に対応して、商品Ａの説明を行うためのコンテンツデータが用意されているが、商品Ａのコンテンツデータは、複数の人種に対応するように、複数の人種に対応した複数のデータで構成されている。
なお、コンテンツＫｅｙ（Ｋ２、Ｋ３、Ｋ４）に対応するコンテンツデータもコンテンツＫｅｙ（Ｋ１）と同様に、そのコンテンツＫｅｙに対応する商品（商品Ｂ、Ｃ、Ｄ）を説明するコンテンツデータが複数の人種に対応するように、複数の人種に対応した複数のデータで構成されている。
【００３７】
以下では、基本動作は同じであるので、コンテンツＫｅｙ（Ｋ１）を例にとって具体的な説明を進める。
コンテンツＫｅｙ（Ｋ１）に対応したコンテンツデータは、複数の人種に対応するように、例えば、スクリーン３１に映し出される人物像が白人で商品Ａの説明が英語で行われるデータと、スクリーン３１に映し出される人物像が黒人で商品Ａの説明が英語で行われるデータと、スクリーン３１に映し出される人物像がアジア人、例えば、中国人で商品Ａの説明が中国語で行われるデータなど、人種に対応した複数のデータで構成されている。
なお、アジア人用のデータとしては、中国人に対応したデータだけでなく、例えば、スクリーン３１に映し出される人物像が日本人で商品Ａの説明が日本語で行われるデータなども含まれている。
【００３８】
例えば、白人に対応するデータの場合、髪が金色で肌の色が白く目の色が青色であるような人物像をスクリーン３１に映し出して商品Ａの説明が英語で行われるデータになっている。
【００３９】
また、黒人に対応するデータの場合、髪が黒で肌の色が濃い小麦色で髪がロールしているような人物像をスクリーン３１に映し出して商品Ａの説明が英語で行われるデータになっている。
なお、中国人や日本人に対応するデータの場合も同様に、中国人や日本人の特徴を備えた人物像をスクリーン３１に映し出して商品Ａの説明が中国語や日本語で行われるデータになっている。
【００４０】
そして、図５のフローチャートに示すように、コンテンツＫｅｙ（Ｋ１〜Ｋ４の何れか）が押されるとシステムの動作が開始される（ステップＳ１）。
【００４１】
システムの動作が始まると、カメラ等からなる撮像部４７（図３参照）が人物の撮影を行い、制御部４１が画像処理部として動作し、撮影した画像を解析して人物の部分を検出する動作を行う（ステップＳ２）。
なお、システムの動作が始まると、マイクロフォンからなる受音部４８による会話音声の取得も開始される。
【００４２】
この人物像検出の処理で人物像が特定できない場合（ステップＳ３：Ｎｏ）は、再び、ステップＳ２に戻り、人物の撮影からやり直す。
人物像が検出されると（ステップＳ３：Ｙｅｓ）、人種判定に進む（ステップＳ４）。
【００４３】
ここでは、検出した人物像の肌の色、髪の色、目の色、衣装（服装など）、若しくは、髪型などに関して、人種を判別するためのデータと比較することで、人種の判定を行う。人種を判別するためのデータは、表示装置１０の画像データ記憶部４３２や音データ記憶部４３３に予め記憶されている。または、サーバ等に予め人種を判別するためのデータが記憶されており、通信部４４により、サーバと通信をすることで、人種の判定を行っても良い。
【００４４】
例えば、肌の色に対して、白人と判定する色の範囲、黒人と判定する色の範囲やアジア人と判定する色の範囲（中国人用の色の範囲や日本人用の色の範囲）などを設けておいて、肌の色がどの人種の色の範囲に属しているかなどを評価することで人種の判定を行う。
【００４５】
但し、肌の色だけに基づく判定の場合、黒人がアジア人（例えば、中国人や日本人）に判定されたり、中国人が日本人と判定されることが起こる可能性があるので、肌の色だけに基づくのではなく、髪の色などについても同様のことを行い、トータルで黒人と判定された回数が多い場合、黒人と判定するようにし、トータルで中国人と判定された回数が多い場合、中国人と判定するようにして判定精度を高めるようにするのが好ましい。
つまり、検出した人物像の肌の色、髪の色、目の色、衣装（服装など）、若しくは、髪型から選ばれる複数の基準に基づき、人種の判定を行うようにすることで人種の判定精度を高めるようにすることが好適である。
【００４６】
また、肌の色、髪の色、目の色、衣装（服装など）、髪型などの各種の判定で、例えば、中国人と判定された回数と日本人と判定された回数とが、同数、若しくは、ほとんど同じ回数であった場合、判定結果として中国人又は日本人というようにしておくようにしても良い。
【００４７】
次に、人種が確定しているかを判定し、上述のように、依然として複数の人種候補があるなど人種が確定していない場合（ステップＳ５：Ｎｏ）には、再び、人種判定を行う（ステップＳ４）。
【００４８】
この２回目の人種判定では、先ほどと同じ指標を用いると、同じ結果となるため、先ほどの人種判定の結果、例えば、複数の人種候補がある場合には、人種候補に残っている人種（例えば、中国人と日本人）について、今が中国人と日本人のどちらの方が多く多く訪れる時期であるのかによって人種判定を行う。
【００４９】
例えば、中国人の来訪が多いと思われる時期（例えば、旧正月）や日本人の訪問が多いと思われる時期（例えば、ゴールデンウィークやお盆）などを予め設定しておき、この人物像が撮影された時期とこの時期に多く訪れる人種、例えば、人物像が撮影された時期が中国の旧正月であるのかや人物像が撮影された時期が日本のゴールデンウィークなのかという、この時期に多く訪れる人種との関係に基づき、さらに、人種判定を行う。
【００５０】
但し、特定の人種の訪問が多いと思われる時期に該当していない場合は、人種判定を最初の状態のまま保留、つまり、人種候補が例えば、中国人又は日本人の状態で保留しておく。
【００５１】
この２回目の人種判定が終ると、再び、人種が確定しているかを判定し（ステップＳ５）、依然として複数の人種候補があるなど人種が確定していない場合（ステップＳ５：Ｎｏ）には、再び、人種判定を行う（ステップＳ４）。
【００５２】
上述のように、２回目の人種判定でも人種が確定していない場合は、制御部４１が言語解析部として動作し、今度は、受音部４８で取得した音声データの言語解析を行い、中国語が含まれている場合は、中国人又は日本人であった人種候補から中国人を選択し、人種を確定させる。このように、制御部４1は、判定部が判定した人種に基づき、コンテンツに含まれる人物画像を決定する。
【００５３】
なお、準備されている人種判定手順のいずれの段階でも人種の確定ができない場合のために、人種確定ができなかったときに選択する人種をデフォルトで設定しておくようにし、本実施形態の例で言えば、３回目の人種判定でも人種の確定ができなかった場合には、強制的に人種をデフォルトで設定している人種に確定させるようにすればよい。
【００５４】
そして、人種判定の１回目、２回目、３回目のいずれかの段階で、人種が確定された場合には、人種が確定しているかの判定（ステップＳ５）が、Ｙｅｓとなるので、この場合には、コンテンツデータの中から、その確定した人種に対応して用意されているデータを再生する処理を実施し（ステップＳ６）、そのコンテンツの再生が終了することでシステムの動作が終了する（ステップＳ７）。
【００５５】
また、人種判定３回目でも人種が確定していない場合には、強制的に人種をデフォルトで設定する人種に確定させることになるので、３回目の人種が確定しているかの判定（ステップＳ５）がＹｅｓとなり、コンテンツデータの中から、デフォルトで設定されている人種に対応して用意されているデータを再生する処理を実施し（ステップＳ６）、そのコンテンツの再生が終了することでシステムの動作が終了することになる（ステップＳ７）。
【００５６】
このように、本実施形態の表示装置１０では、商品説明などを行うにあたって、その商品説明などを受けようとしている人が白人であれば、白人の画像が投影されて英語で商品説明などが行われることになり、黒人であれば、黒人の画像が投影されて英語で商品説明などが行われることになり、さらには、中国人であれば、中国人の画像が投影されて中国語で商品説明などが行われることになるため、例えば、日本人の画像が投影されて英語や中国語で商品説明などが行われる場合よりも、親近感を与えることが可能であり、親しみをもって商品説明などを受けることができる。
【００５７】
なお、本実施形態では、親しみを与える演出として、スクリーン３１に映し出される人物像を、商品説明等を受ける人の人種に合わせるようにしているが、単に、人種に合わせた人物像を投影するだけでなく、例えば、スクリーン３１に映し出される人物像が人種に応じて特有の民族衣装をまとっているようなものとするなど、さらに、親近感を与えられるようにしても良いことは言うまでもない。
【００５８】
また、本実施形態では、スクリーンの形状として、人型の平面スクリーンの場合を示してきた。
しかしながら、スクリーンに投影する人物像が、例えば、女性に決まっているときには、図６に示すように人物像を映し出す部分を、女性を投影するのに適した形状の立体スクリーン部とすることでよりリアリティのある人物像の表現ができるようになる。
【００５９】
また、図６に示すように、スクリーンは人物像を投影する立体スクリーン部以外に立体スクリーン部の隣に商品などを投影する平面スクリーン部を有するようにしてもよい。
つまり、スクリーンは、立体スクリーン部と平面スクリーン部とからなるものであっても良い。
このように、本発明の技術的範囲には、本発明の目的が達成される範囲での様々な変形や改良などが含まれるものである。
【００６０】
以下に、この出願の願書に最初に添付した特許請求の範囲に記載した発明を付記する。付記に記載した請求項の項番は、この出願の願書に最初に添付した特許請求の範囲の通りである。
＜請求項１＞
人物画像を含むコンテンツを表示する表示部と、
撮像部と、
前記撮像部で撮影された人物像に基づき人種を判定する判定部と、
前記判定部が判定した前記人種に基づき、前記コンテンツに含まれる人物画像を決定する制御部と、
を備えることを特徴とする表示装置。
＜請求項２＞
前記判定部は、撮影された前記人物像の肌の色、髪の色、目の色、衣装、若しくは、髪型に基づき、前記人種の判定を行うことを特徴とする請求項１に記載の表示装置。
＜請求項３＞
前記判定部は、さらに、前記人物像が撮影された時期と前記時期に多く訪れる人種との関係に基づき、前記人種の判定を行うことを特徴とする請求項２に記載の表示装置。
＜請求項４＞
さらに、受音部を備え、
前記判定部は、前記受音部で受信した音声の言語分析に基づき、前記人種の判定を行うことを特徴とする請求項３に記載の表示装置。
【符号の説明】
【００６１】
１０                    表示装置
１１                    電源コード
１２                    補助電源
２０                    筐体
２１                    側板
２２                    投影部
２３                    パネル
２３１                  透明部
２４                    第１のミラー
２５                    第２のミラー
３０                    スクリーン部
３１                    スクリーン（表示部）
３２                    スクリーン取付部
４１                    制御部
４２                    プロジェクタ
４３                    記憶部
４３１                  プログラム記憶部
４３２                  画像データ記憶部
４３３                  音データ記憶部
４４                    通信部
４５                    操作部
４６                    音出力部
４７                    撮像部
４８                    受音部
Ｋ１、Ｋ２、Ｋ３、Ｋ４  コンテンツＫｅｙ
ＬＢ１                  投影光
ＬＢ２                  投影光
【図１】
2017003789.tif 000003
【図２】
2017003789.tif 000004
【図３】
2017003789.tif 000005
【図４】
2017003789.tif 000006
【図５】
2017003789.tif 000007
【図６】
2017003789.tif 000008